(57)【要約】【課題】非可聴つぶやき音（Ｎｏｎ−Ａｕｄｉｂｌｅ  Ｍｕｒｍｕｒ；ＮＡＭ）マイクロフォンを用い、専用な装着物なしで、もしくは簡易な装着物で、長時間安定的に非可聴つぶやき音を採取できるようにする。【解決手段】乳様突起直下の皮膚表面にＮＡＭマイクロフォンを直接装着して伝導音を採取するのではなく、一旦指１０３〜１０５の体内軟部組織を介して伝導（指伝導）する振動音をＮＡＭマイクロフォン１０１で採取する。【効果】装着者本人の指先を介することにより、特別な装置を使用することなしに、乳様突起直下の最適な場所から安定して長時間振動音の採取が可能となる。【選択図】図１
2005354295.tif 000002
【特許請求の範囲】
【請求項１】
耳介の後下方部の、頭蓋骨の乳様突起直下の皮膚表面から、非可聴つぶやき音（Ｎｏｎ−Ａｕｄｉｂｌｅ  Ｍｕｒｍｕｒ；ＮＡＭ）あるいは通常音声などの体内軟部組織を伝導する振動音を採取して音声入力するマイクロフォンであって、五指のうちの少なくとも１本の指先表面を前記乳様突起直下の皮膚表面にあて、これら指の体内軟部組織を伝導する振動音を採取することを特徴とする指伝導マイクロフォン。
【請求項２】
押し当てた皮膚内部の骨を通じて内耳に音を伝える骨伝導スピーカと一体に構成されていることを特徴とする請求項１記載の指伝導マイクロフォン。
【請求項３】
前記伝導する振動音を手のひらの表面から採取することを特徴とする請求項１又は２記載の指伝導マイクロフォン。
【請求項４】
指、手首及び腕の少なくとも１箇所に装着するための輪状装着物の内側面に設けられ、該輪状装着物の装着の際に前記振動音を採取するための接触部が皮膚表面に接触するように構成されていることを特徴とする請求項１記載の指伝導マイクロフォン。
【請求項５】
請求項１から請求項４までのいずれか１項に記載の指伝導マイクロフォンと、前記指伝導マイクロフォンによって振動音が変換された信号について、音声認識処理を行う音声認識処理手段とを含むことを特徴とするコミュニケーションシステム。
【請求項６】
耳介の後下方部の、頭蓋骨の乳様突起直下の皮膚表面から、非可聴つぶやき音（Ｎｏｎ−Ａｕｄｉｂｌｅ  Ｍｕｒｍｕｒ；ＮＡＭ）あるいは通常音声などの体内軟部組織を伝導する振動音を採取して音声入力するコミュニケーション方法であって、五指のうちの少なくとも１本の指先表面を前記乳様突起直下の皮膚表面にあて、これら指の体内軟部組織を伝導する振動音を採取することを特徴とするコミュニケーション方法。
【発明の詳細な説明】
【技術分野】
【０００１】
本発明はマイクロフォン、コミュニケーションシステム、コミュニケーション方法に関し、特に乳様突起直下の皮膚表面から、非可聴つぶやき音（Ｎｏｎ−Ａｕｄｉｂｌｅ  Ｍｕｒｍｕｒ；ＮＡＭ）あるいは通常音声などの体内軟部組織を伝導する振動音を採取して音声入力するマイクロフォン、コミュニケーションシステム、コミュニケーション方法に関する。
【背景技術】
【０００２】
従来、耳介の下方部の、頭蓋骨の乳様突起直下の、胸鎖乳頭筋上の皮膚表面に装着され、発声器官の運動に伴う共振フィルタ特性変化により調音された、声帯の規則振動を伴わない、外部からは非可聴な呼吸音の体内軟部組織を伝導する振動音である非可聴つぶやき音（ＮＡＭ）を採取して、音声入力するコミュニケーションインタフェースシステムが提案されている（特許文献１）。
【特許文献１】国際公開ＷＯ２００４／０２１７３８号パンフレット
【発明の開示】
【発明が解決しようとする課題】
【０００３】
特許文献１では、ＮＡＭマイクロフォン装着法の一例として、ＮＡＭマイクロフォンと一体化された、眼鏡、ヘッドフォン、耳かけ型イヤフォン、帽子、ヘルメットなど、人間の頭部に装着する頭部装着物を使用することが記載されている。しかしながら、特許文献１に記載された技術を利用する場合、専用な装着物を用意する必要があるため、製品コストが高くなるという問題がある。
【０００４】
また、ＮＡＭマイクロフォンを乳様突起の直下に密着させる方法や、接着剤で固定する方法も考えられる。しかしながら、前者の場合には接着面の面積や圧力を長時間均一に維持することが困難であり、後者の場合には接着力が強くかつ剥がす際に皮膚への負担が無い接着剤が見当たらず、現実的ではないという問題がある。
本発明は上述した従来技術の問題点を解決するためになされたものであり、その目的は専用な装着物なしで、もしくは簡易な装着物で、長時間安定的に非可聴つぶやき音を採取できるマイクロフォン、コミュニケーションシステム、コミュニケーション方法を提供することである。
【課題を解決するための手段】
【０００５】
本発明の請求項１による指伝導マイクロフォンは、耳介の後下方部の、頭蓋骨の乳様突起直下の皮膚表面から、非可聴つぶやき音（Ｎｏｎ−Ａｕｄｉｂｌｅ  Ｍｕｒｍｕｒ；ＮＡＭ）あるいは通常音声などの体内軟部組織を伝導する振動音を採取して音声入力するマイクロフォンであって、五指のうちの少なくとも１本の指先表面を前記乳様突起直下の皮膚表面にあて、これら指の体内軟部組織を伝導する振動音を採取することを特徴とする。このような構成によれば、専用な装着物なしで、もしくは簡易な装着物で、長時間安定的に非可聴つぶやき音を採取できる。
【０００６】
本発明の請求項２による指伝導マイクロフォンは、請求項１において、押し当てた皮膚内部の骨を通じて内耳に音を伝える骨伝導スピーカと一体に構成されていることを特徴とする。このように構成すれば、周囲の雑音が多い場所でも良好に通話を行うことができる。
本発明の請求項３による指伝導マイクロフォンは、請求項１又は２において、前記伝導する振動音を手のひらの表面から採取することを特徴とする。伝導する振動音を手のひらの表面から採取することにより、非可聴つぶやき（ＮＡＭ）音を良好に採取できる。
【０００７】
本発明の請求項４による指伝導マイクロフォンは、請求項１において、指、手首及び腕の少なくとも１箇所に装着するための輪状装着物の内側面に設けられ、該輪状装着物の装着の際に前記振動音を採取するための接触部が皮膚表面に接触するように構成されていることを特徴とする。このような構成を採用すれば、違和感なく指伝導マイクロフォンを装着でき、、非可聴つぶやき（ＮＡＭ）音を良好に採取できる。
【０００８】
本発明の請求項５によるコミュニケーションシステムは、請求項１から請求項４までのいずれか１項に記載の指伝導マイクロフォンと、前記指伝導マイクロフォンによって振動音が変換された信号について、音声認識処理を行う音声認識処理手段とを含むことを特徴とする。非可聴つぶやき音を利用して、声を出さないでアプリケーションソフトウェアを起動したり制御したりすることができる。
【０００９】
本発明の請求項６によるコミュニケーション方法は、耳介の後下方部の、頭蓋骨の乳様突起直下の皮膚表面から、非可聴つぶやき音（Ｎｏｎ−Ａｕｄｉｂｌｅ  Ｍｕｒｍｕｒ；ＮＡＭ）あるいは通常音声などの体内軟部組織を伝導する振動音を採取して音声入力するコミュニケーション方法であって、五指のうちの少なくとも１本の指先表面を前記乳様突起直下の皮膚表面にあて、これら指の体内軟部組織を伝導する振動音を採取することを特徴とする。このような方法を採用すれば、専用な装着物なしで、もしくは簡易な装着物で、長時間安定的に非可聴つぶやき音を採取できる。
【発明の効果】
【００１０】
本発明では、ＮＡＭマイクロフォンを、乳様突起直下の皮膚表面に直接装着して伝導音を採取するのではなく、一旦指の体内軟部組織を介して伝導（指伝導）する振動音を採取する。このように、装着者本人の指先を介することにより、特別な装置を使用することなしに、乳様突起直下の最適な場所から安定して長時間振動音の採取が可能となるという効果がある。
【発明を実施するための最良の形態】
【００１１】
本発明を実施例に基づいて説明する。なお、以下の説明において参照する各図では、他の図と同等部分は同一符号によって示されている。
まず非可聴つぶやき音（ＮＡＭ）とは、発声器官の運動に伴う共振フィルタ特性変化により調音された、声帯の規則振動を伴わない、外部からは非可聴な呼吸音の体内軟部組織を伝導する振動音であり、指伝導とは、五指の内の少なくとも１本の指先裏面を耳介の後下方部の、頭蓋骨の乳様突起直下の皮膚表面にあて、非可聴つぶやき音（ＮＡＭ）あるいは通常音声などの体内軟部組織を伝導する振動音を、これら指の体内軟部組織を経由して採取することを言う。
【実施例１】
【００１２】
図１は、本発明による指伝導コミュニケーションシステムを携帯電話システムに適用した場合の一構成例を示す図である。
（ＮＡＭマイクロフォンの使用例）
同図において、通話者１００は、自分の中指１０４、人差し指１０３、薬指１０５を、自分の乳様突起直下の皮膚表面にあて、ＮＡＭマイクロフォン１０１の接触部１０１ａを手のひら１０７に密着させ、親指１０２と小指１０６とでＮＡＭマイクロフォン１０１を押さえつける。
【００１３】
図２には、ＮＡＭマイクロフォン１０１を左手で持った状態が示されている。同図（ａ）には左手の手のひら側、同図には同じく手の甲側、がそれぞれ示されている。同図（ａ）及び（ｂ）を参照すると、ＮＡＭマイクロフォン１０１が親指１０２及び小指１０６によって握られているため、その接触部１０１ａが手のひら１０７に密着している。そして、上述したように、他の３本の指１０３〜１０５を乳様突起直下の皮膚表面にあてることになる。
【００１４】
ところで、図１及び図２では３本の指１０３〜１０５を乳様突起直下の皮膚表面にあてる場合が示されているが、その指の本数は３本に限定されない。例えば、図３に示されているように、中指１０４及び人差し指１０３の計２本を乳様突起直下の皮膚表面にあてても良い。同図（ａ）には左手の手のひら側、同図には同じく手の甲側、がそれぞれ示されている。同図（ａ）及び（ｂ）を参照すると、ＮＡＭマイクロフォン１０１が親指１０２、薬指１０５及び小指１０６によって握られているため、その接触部１０１ａが手のひら１０７に密着している。そして、他の２本の指すなわち中指１０４及び人差し指１０３を、図４に示されているように、乳様突起直下の皮膚表面にあてることになる。同図に示されている状態では中指１０４及び人差し指１０３を伸ばし、他の３本の指を曲げることになるため、図２に示されている状態よりもＮＡＭマイクロフォン１０１を握り易い。
【００１５】
また、図５に示されているように、人差し指１０３のみを乳様突起直下の皮膚表面にあてても良い。同図（ａ）には左手の手のひら側、同図には同じく手の甲側、がそれぞれ示されている。同図（ａ）及び（ｂ）を参照すると、ＮＡＭマイクロフォン１０１が人差し指１０３を除く４本の指すなわち親指１０２、中指１０４、薬指１０５及び小指１０６によって握られているため、その接触部１０１ａが手のひら１０７により密着している。そして、人差し指１０３を、図６に示されているように、乳様突起直下の皮膚表面にあてることになる。同図に示されている状態では人差し指１０３のみを伸ばし、他の４本の指を曲げることになるため、図２や図４に示されている状態よりもＮＡＭマイクロフォン１０１を握り易く、その接触部１０１ａが手のひら１０７により密着する。
【００１６】
さらに、ＮＡＭマイクロフォン１０１の形状を、握りやすい形状にしても良い。例えば図７に示されているように、中指１０４及び人差し指１０３を乳様突起直下の皮膚表面にあてる場合には、その他の親指１０２、薬指１０５及び小指１０６がＮＡＭマイクロフォン１０１の表面に接することになる。このとき、親指１０２、薬指１０５、小指１０６のそれぞれの形状と略同一の凹形状を、ＮＡＭマイクロフォン１０１’の表面に設けておけば、図３に示されている場合よりも握り易くなる。このように、握り易い形状を採用することにより、接触部１０１ａが手のひら１０７により密着し、伝導音を良好に採取できる。図２に示されているように親指１０２及び小指１０６の２本で握る場合や、図５に示されているように親指１０２、中指１０４、薬指１０５及び小指１０６の４本で握る場合も、各指の形状と略同一の凹形状を、ＮＡＭマイクロフォン１０１’の表面に設けておけば、握り易くなって伝導音を良好に採取できる。
なお、図示されていないが、親指のみ、または小指のみを乳様突起直下の皮膚表面にあて、他の指でＮＡＭマイクロフォンを握るような装着方法を採用しても良いことは言うまでもない。
【００１７】
以上のように、少なくとも１本の指先表面を乳様突起直下の皮膚表面にあて、あてた指の体内軟部組織を伝導（指伝導）する振動音を採取すれば良い。
（ＮＡＭマイクロフォンの構成）
ここで、ＮＡＭマイクロフォン１０１の一構成例が、図８及び図９に示されている。図８はＮＡＭマイクロフォン１０１の側面断面図である。
同図に示されているように、ＮＡＭマイクロフォン１０１は、乳様突起直下の皮膚表面に接触させる接触部１０１ａの裏側を、フレーム１０１ｂが覆う構成になっている。
【００１８】
接触部１０１ａの内部には、コンデンサマイクロフォン１０１ｅが設けられ、そのリード線１０１ｇが接触部１０１ａの裏面から導出されている。コンデンサマイクロフォン１０１ｅは、振動板電極１０１ｆを含んで構成されている。また、接触部１０１ａとフレーム１０１ｂとの境界には、反射板１０１ｄが設けられている。フレーム１０１ｂの内部には、外部雑音防音空間１０１ｃが形成されている。
【００１９】
接触部１０１ａは、皮膚との間で音響インピーダンスの不整合が生じないように、シリコーンゴムなどの人間の軟体組織に近い音響インピーダンスを有する生体適合性物質で構成される。
図９は図８のＮＡＭマイクロフォン１０１を同図中の矢印Ｙ方向から見た正面図である。同図を参照すると、ＮＡＭマイクロフォン１０１は略円形であり、接触部１０１ａの周囲にフレーム１０１ｂが設けられている。接触部１０１ａの内部には、コンデンサマイクロフォン１０１ｅが設けられている。
【００２０】
（携帯電話システムでの信号授受）
図１に戻り、通話者１００は、自分の耳孔内にイヤフォン１０８を装着する。ＮＡＭマイクロフォン１０１及びイヤフォン１０８は、携帯電話機１０９と有線もしくは無線の通信手段で接続されている。なお、イヤフォン１０８の代わりにスピーカを用いても良い。
無線ネットワーク１１０は、例えば、無線基地局１１２ａ及び１１２ｂと、基地局制御装置１１３ａ及び１１３ｂと、交換機１１４ａ及び１１４ｂと、通信網１１１とを含んで構成されている。本例では、携帯電話機１１５が無線基地局１１２ｂと無線通信することにより、携帯電話機１０９と携帯電話機１１５の間で通話が可能となる。
ここで、図１０は通話者１００が発声した非可聴つぶやき音（ＮＡＭ）あるいは通常音声が相手側に伝わるまでの流れを示すフローチャート、図１１は相手側が発声した音声が通話者１００に伝わるまでの流れを示すフローチャートである。
【００２１】
図１０において、通話者１００の非可聴つぶやき音（ＮＡＭ）あるいは通常音声などの体内軟部組織を伝導する振動音４０１は、乳様突起直下の皮膚表面から中指１０４、人差し指１０３、薬指１０５に伝わる（ステップ４０２）。そして、中指１０４、人差し指１０３、薬指１０５を経由して（ステップ４０３）、手のひら１０７から、ＮＡＭマイクロフォン１０１の接触部１０１ａに振動音４０１が伝わり（ステップ４０４）、マイクロフォン内のコンデンサマイクロフォン１０１ｅの振動板電極１０１ｆを振動させることによって電気信号となりリード線１０１ｇから取り出される（ステップ４０５）。この電気信号が有線もしくは無線の通信手段により、携帯電話機１０９に送信される（ステップ４０６）。
携帯電話機１０９に送信された電気信号は、無線ネットワーク１１０を介して、通話相手の携帯電話機１１５に送信され（ステップ４０７）、通話相手の携帯電話機１１５のスピーカで電気信号から振動音に変換されて（ステップ４０８）、通話者１００の再生音声４０９となる。
【００２２】
一方、図１１において、通話相手の発声による音声５０１は、通話相手の携帯電話機１１５のマイクロフォンによって電気信号に変換され（ステップ５０２）、無線ネットワーク１１０を経由して、携帯電話機１０９に送信される（ステップ５０３）。電気信号はさらに携帯電話機１０９から有線もしくは無線の通話手段により、イヤフォン１０８に送信され（ステップ５０４）、イヤフォン１０８で電気信号から振動音に変換されて（ステップ５０５）、再生された通話相手の音声５０６となる。イヤフォン１０８の代わりにスピーカを用いても良い。なお、携帯電話機１０９から音声を直接聞く場合は、イヤフォン１０８は必要ない。
【００２３】
（携帯電話機との信号授受）
ＮＡＭマイクロフォン１０１とイヤフォン１０８とが、携帯電話機１０９と無線の通信手段で接続されている場合の構成例が図１２に示されている。ＮＡＭマイクロフォン１０１とイヤフォン１０８側の第１の無線通信部１６０１は、例えば、マイクアンプ１６０５と、第１のＡ／Ｄコンバータ１６０７と、Ｂｌｕｅｔｏｏｔｈ（登録商標）などの第１のデジタル無線通信ユニット１６０３と、第１のＤ／Ａコンバータ１６０８と、スピーカアンプ１６０６と、第１のアンテナ１６０４と、第１の電池１６０９とを含んで構成されている。
【００２４】
一方、携帯電話機１０９側の第２の無線通信部１６０２は、第１のデジタル無線通信ユニット１６０３に対応した第２のデジタル無線通信ユニット１６１０と、第２のアンテナ１６１１と、第２のＡ／Ｄコンバータ１６１２と、第２のＤ／Ａコンバータ１６１３と、第２の電池１６１４とを含んで構成されている。
ここで、第１のデジタル無線通信ユニット１６０３と第２のデジタル無線通信ユニット１６１０とは同一の構成で良い。また、第２の無線通信部１６０２は、携帯電話機１０９内に収納されていてもよい。第２の無線通信部１６０２が、携帯電話機１０９内に収納されない場合、第２の無線通信部１６０２は、携帯電話機１０９のイヤホンマイク端子を介して携帯電話機１０９に接続される。また、第２の無線通信部１６０２が携帯電話機１０９から電源を供給してもらえる場合には、第２の電池１６１４は不要である。
【００２５】
このような構成において、通話者１００が発声した場合には、通話者１００の非可聴つぶやき音（ＮＡＭ）あるいは通常音声などにより生成され、リード線１０１ｇから取り出された電気信号は、マイクアンプ１６０５で増幅され、第１のＡ／Ｄコンバータ１６０７でデジタル信号に変換された後、第１のデジタル無線通信ユニット１６０３でデジタル変調されて第１のアンテナ１６０４より送信される。送信信号は、携帯電話機１０９側の第２のアンテナ１６１１で受信され、第２のデジタル無線通信ユニット１６１０でデジタル復調された後に、第２のＤ／Ａコンバータ１６１３でアナログ信号に変換され、携帯電話機１０９に取り込まれる。
【００２６】
一方、通話相手が発声した場合は、通話相手の音声は第２のＡ／Ｄコンバータ１６１２でデジタル信号に変換され、第２のデジタル無線通信ユニット１６１０でデジタル変調された後、第２のアンテナ１６１１から送信され、第１のアンテナ１６０４で受信される。受信信号は第１のデジタル無線通信ユニット１６０３でデジタル復調され、第１のＤ／Ａコンバータ１６０８でアナログ信号に変換された後、スピーカアンプ１６０６で増幅され、イヤフォン１０８に入力される。
【００２７】
ところで、第１のデジタル無線通信ユニット１６０３、第２のデジタル無線通信ユニット１６１０として、例えばＢｌｕｅｔｏｏｔｈ（登録商標）ｖｅｒ．１に準拠したものを使用した場合、最大通信速度は７２１Ｋｂｐｓとなり、さらに出力がＢｌｕｅｔｏｏｔｈ（登録商標）Ｃｌａｓｓ２に対応している場合、第１のデジタル無線通信ユニット１６０３、第２のデジタル無線通信ユニット１６１０の出力は最大４ｄＢｍで、見通しの条件において１０ｍ程度の通信が可能となる。
【実施例２】
【００２８】
図１３は、本発明の指伝導コミュニケーションシステムを、携帯電話システムに適用した場合の別の構成例を示すブロック図である。実施例１と異なるのは、イヤフォン１０８の代わりに、骨伝導スピーカ６０１を使用している点である。
図１４に示されているように、ＮＡＭマイクロフォン１０１は、連結部６０３を介して、骨伝導スピーカ６０１と一体化された構成である。この骨伝導スピーカ６０１は、発音体６０２を顎に押し当てることにより、骨を通じて内耳に音を伝える機能を有している。
連結部６０３は吸音材としての機能を有している。このため、骨伝導スピーカ６０１から出力される音がＮＡＭマイクロフォン１０１に入力されることは無い。この連結部６０３の素材には、例えば、天然ゴム、合成ゴム、エラストマーなどを使用することができる。
【００２９】
ＮＡＭマイクロフォン１０１及び骨伝導スピーカ６０１は、携帯電話機と有線もしくは無線の通信手段で接続されている。一体化されたＮＡＭマイクロフォン１０１と骨伝導スピーカ６０１の装着例が図１５に示されている。同図は、それらを、中指１０４と顔７０１との間に装着した状態の側面図である。同図に示されているように、ＮＡＭマイクロフォン１０１の接触部１０１ａを手のひら１０７に押し当てると共に、骨伝導スピーカ６０１の発音体６０２を顎に押し当てることで装着する。そして、受信時には、電気信号に変換された通話相手からの音声により骨伝導スピーカ６０１の発音体６０２が振動し、顔７０１の内部の骨を通じて直接内耳に音を伝える。ＮＡＭマイクロフォン１０１の機能については、実施例１の場合と同様である。
【実施例３】
【００３０】
図１６は、本発明の指伝導コミュニケーションシステムを、音声認識システムに応用した場合の構成例を示すブロック図である。
図１の場合と同様に、中指１０４、人差し指１０３、薬指１０５を乳様突起直下の皮膚表面にあて、ＮＡＭマイクロフォン１０１の接触部を手のひら１０８に密着させ、親指１０２と小指１０６でＮＡＭマイクロフォン１０１を押さえつける。
【００３１】
人間１０００が非可聴つぶやき音（ＮＡＭ）あるいは通常音声などで発声したコマンドまたは、かな列によって体内軟部組織を伝導する振動音が生じる。この体内軟部組織を伝導する振動音は、乳様突起直下の皮膚表面から中指１０４、人差し指１０３、薬指１０５に伝わり、これらの指を経由して手のひら１０７からＮＡＭマイクロフォン１０１に採取される。採取された振動音は、ＮＡＭマイクロフォン１０１内のコンデンサマイクによって電気信号となる。この電気信号は、有線もしくは無線の通信手段により、音声認識機能を持ったパーソナルコンピュータ８０１または携帯端末８０２に送信され、パーソナルコンピュータ８０１または携帯端末８０２において音声認識処理が行われる。認識結果は、例えば、パーソナルコンピュータ８０１または携帯端末８０２において動作するアプリケーションソフトウェアを起動したり制御したりするためのコマンドとして使用される。このように、音声認識システムに本システムを応用すれば、非可聴つぶやき音を利用して、声を出さないでアプリケーションソフトウェアを起動したり制御したりすることができる。
【実施例４】
【００３２】
図１７、図１８には、本発明による指伝導コミュニケーションシステムの実現例が示されている。これらの図には、体内軟部組織を伝導する振動音を、指輪９０１に取り付けられたＮＡＭマイクロフォン１０１から採取する例が示されている。
図１７に示されているように、中指１０４ 、人差し指１０３ 、薬指１０５を乳様突起直下の皮膚表面にあて、例えば中指１０４に装着された輪状装着物である指輪９０１の内側面に取り付けられたＮＡＭマイクロフォン１０１の接触部１０１ａを、図１８に示されているように指９０２に密着させる。
【００３３】
図１７、図１８に示されているようにＮＡＭマイクロフォン１０１を装着すれば、非可聴つぶやき音（ＮＡＭ）あるいは通常音声などの体内軟部組織を伝導する振動音は、乳様突起直下の皮膚表面から中指１０４、人差し指１０３、薬指１０５に伝わり、これらの指を経由して指輪９０１に取り付けられた ＮＡＭマイクロフォン１０１に入力される。
【実施例５】
【００３４】
図１９、図２０には、本発明による指伝導コミュニケーションシステムの別の実現例が示されている。
図１９には、体内軟部組織を伝導する振動音を、装着された輪状装着物であるハンドリスト１１０１に取り付けられたＮＡＭマイクロフォン１０１から採取する例が示されている。同図において、中指１０４、人差し指１０３、薬指１０５を乳様突起直下の皮膚表面にあてる。図２０に示されているように、ハンドリスト１１０１の内側面にはＮＡＭマイクロフォン１０１が取り付けられており、その接触部１０１ａを手首１１０２に密着させる。
【００３５】
図１９、図２０に示されているようにＮＡＭマイクロフォン１０１を装着すれば、非可聴つぶやき音（ＮＡＭ）あるいは通常音声などの体内軟部組織を伝導する振動音は、乳様突起直下の皮膚表面から中指１０４、人差し指１０３、薬指１０５に伝わり、これらの指から手首１１０２を経由してハンドリスト１１０１の内側面に取り付けられたＮＡＭマイクロフォン１０１に入力される。
【００３６】
なお、ハンドリスト１１０１に限らず、腕時計にＮＡＭマイクロフォンを取り付けても良い。その場合、腕時計のバンドの内側面にＮＡＭマイクロフォンを取り付けても良いし、腕時計本体にＮＡＭマイクロフォンを内蔵させても良い。
その他、指、手首及び腕の少なくとも１箇所に装着するための輪状装着物の内側面にＮＡＭマイクロフォンが設けられ、その輪状装着物の装着の際に、振動音を採取するための接触部が皮膚表面に接触するように構成されていれば良く、その輪状装着物の種類は限定されるものではない。
【００３７】
（実測データ）
図２１は、実施例１、実施例２、実施例３のように、中指、人差し指、薬指を乳様突起直下の皮膚表面にあて、ＮＡＭマイクロフォンの接触部を手のひらに密着させ、親指と小指でＮＡＭマイクロフォンを抑えつけた状態で、ＮＡＭマイクロフォンから採取した非可聴つぶやき音（ＮＡＭ）のスペクトログラムを示す図である。同図を参照すると、２ＫＨｚ以上のスペクトルが得られていることがわかる。
【００３８】
図２２は、実施例４のように、中指、人差し指、薬指を乳様突起直下の皮膚表面にあて、指輪に取り付けられたＮＡＭマイクロフォンの接触部を指に密着させた状態で、ＮＡＭマイクロフォンから採取した非可聴つぶやき音（ＮＡＭ）のスペクトログラムを示す図である。同図を参照すると、２ＫＨｚ以上のスペクトルが得られていることがわかる。
図２３は、実施例５のように、中指、人差し指、薬指を乳様突起直下の皮膚表面にあて、ハンドリストまたは腕時計のバンドに取り付けられたＮＡＭマイクロフォンの接触部を手首に密着させた状態で、ＮＡＭマイクロフォンから採取した非可聴つぶやき音（ＮＡＭ）のスペクトログラムを示す図である。同図を参照すると、２ＫＨｚ以上のスペクトルが得られていることがわかる。
【産業上の利用可能性】
【００３９】
本発明により、ＮＡＭマイクロフォンを、専用な装着物なしで、もしくは簡易な装着物で、長時間安定的に装着可能となり、ＮＡＭマイクロフォンによる声を出さない携帯電話機での通話や、声を出さない音声認識システムの利用が、非常に容易となる。
【図面の簡単な説明】
【００４０】
【図１】本発明による指伝導コミュニケーションを携帯電話システムに適用した場合の構成例を示すブロック図である。
【図２】ＮＡＭマイクロフォンを左手の２本の指で持った状態を示す図である。
【図３】ＮＡＭマイクロフォンを左手の３本の指で持った状態を示す図である。
【図４】ＮＡＭマイクロフォンを左手の３本の指で持ち、他の２本の指を乳様突起直下の皮膚表面にあてた状態を示す図である。
【図５】ＮＡＭマイクロフォンを左手の４本の指で持った状態を示す図である。
【図６】ＮＡＭマイクロフォンを左手の４本の指で持ち、他の１本の指を乳様突起直下の皮膚表面にあてた状態を示す図である。
【図７】握りやすい形状にしたＮＡＭマイクロフォンを左手の３本の指で持った状態を示す図である。
【図８】本発明による指伝導マイクロフォンの一例を示す側面断面図である。
【図９】本発明による指伝導マイクロフォンの一例を示す正面図である。
【図１０】指伝導コミュニケーションを携帯電話システムに適用した場合に、通話者が発声した非可聴つぶやき音（ＮＡＭ）あるいは通常音声が相手側に伝わるまでの流れを示すフローチャートである。
【図１１】本発明を用いた指伝導コミュニケーションを携帯電話システムに適用した場合に、相手側が発声した音声が通話者１００に伝わるまでの流れを示すフローチャートである。
【図１２】本発明を用いた指伝導コミュニケーションを携帯電話システムに適用した場合で、かつＮＡＭマイクロフォンとイヤフォンとが、携帯電話機と無線の通信手段で接続されている場合の構成例を示すブロック図である。
【図１３】本発明を用いた指伝導コミュニケーションを携帯電話システムに適用した場合の別の構成例を示すブロック図である。
【図１４】実施例２において用いるＮＡＭマイクロフォンの構成例を示す図である。
【図１５】図１４のＮＡＭマイクロフォンの装着例を示す図である。
【図１６】本発明を用いた指伝導コミュニケーションシステムを音声認識システムに適用した場合の構成例を示すブロック図である。
【図１７】本発明による指伝導コミュニケーションシステムの実現例を示す図である。
【図１８】図１７の指伝導コミュニケーションシステムにおけるマイクロフォンの装着例を示す図である。
【図１９】本発明による指伝導コミュニケーションシステムの別の実現例を示すブロック図である。
【図２０】図１９の指伝導コミュニケーションシステムにおけるマイクロフォンの装着例を示す図である。
【図２１】図１、図１３、図１６の指伝導コミュニケーションシステムで採取した非可聴つぶやき音信号のスペクトログラムを示す図である。
【図２２】図１７の指伝導コミュニケーションシステムで採取した非可聴つぶやき音信号のスペクトログラムを示す図である。
【図２３】図１９の指伝導コミュニケーションシステムで採取した非可聴つぶやき音信号のスペクトログラムを示す図である。
【符号の説明】
【００４１】
１００  通話者
１０１  ＮＡＭマイクロフォン
１０１ｅ  コンデンサマイクロフォン
１０１ａ  接触部
１０１ｂ  フレーム
１０１ｃ  外部雑音防音空間
１０１ｄ  反射板
１０１ｆ  振動板電極
１０１ｇ  リード線
１０２  親指
１０３  人差し指
１０４  中指
１０５  薬指
１０６  小指
１０８  イヤフォン
１０９、１１５  携帯電話機
１１０  無線ネットワーク
１１１  通信網
１１２ａ、１１２ｂ  無線基地局
１１３ａ、１１３ｂ  基地局制御装置
１１４ａ、１１４ｂ  交換機
６０１  骨伝導スピーカ
６０２  発音体
６０３  連結部
７０１  顔
８０１  パーソナルコンピュータ
８０２  携帯端末
９０１  指輪
９０２  指
１０００  人間
１１０１  ハンドリスト
１１０２  手首
１６０１、１６０２  無線通信部
１６０３、１６１０  デジタル無線通信ユニット
１６０４、１６１１  アンテナ
１６０５  マイクアンプ
１６０６  スピーカアンプ
１６０７、１６１２  Ａ／Ｄコンバータ
１６０８、１６１３  Ｄ／Ａコンバータ
１６０９、１６１４  電池
【図１】
2005354295.tif 000003
【図２】
2005354295.tif 000004
【図３】
2005354295.tif 000005
【図４】
2005354295.tif 000006
【図５】
2005354295.tif 000007
【図６】
2005354295.tif 000008
【図７】
2005354295.tif 000009
【図８】
2005354295.tif 000010
【図９】
2005354295.tif 000011
【図１０】
2005354295.tif 000012
【図１１】
2005354295.tif 000013
【図１２】
2005354295.tif 000014
【図１３】
2005354295.tif 000015
【図１４】
2005354295.tif 000016
【図１５】
2005354295.tif 000017
【図１６】
2005354295.tif 000018
【図１７】
2005354295.tif 000019
【図１８】
2005354295.tif 000020
【図１９】
2005354295.tif 000021
【図２０】
2005354295.tif 000022
【図２１】
2005354295.tif 000023
【図２２】
2005354295.tif 000024
【図２３】
2005354295.tif 000025